(57)【要約】【課題】スペースに制約されることなく情報を表示できると共に、表示される情報の鮮明さを維持でき、かつ表示された情報を容易に変更できるようにすること。【解決手段】キャンバス６と、キャンバス６の一方の側となる裏側に取り付けられる多数の細長状の形態を有する払拭体５と、を備えたモップ２と、モップ２を保持するための保持部１３を備えた床清掃用保持具３と、を備え、保持部１３はモップ２をキャンバス６の他方の側となる表側において保持し、保持部１３もしくはキャンバス６の表側に露出するように、文字および／または図形を有する情報が表記された表示体７を取り付けたことを特徴とする。【選択図】図１
0003151920.tif 000002
【実用新案登録請求の範囲】
【請求項１】
キャンバスと、上記キャンバスの一方の側となる裏側に取り付けられる多数の細長状の形態を有する払拭体と、を備えたモップと、
上記モップを保持するための保持部を備えた床清掃用保持具と、
を備え、
上記保持部は上記モップを上記キャンバスの他方の側となる表側において保持し、
上記保持部もしくは上記キャンバスの表側に露出するように、文字および／または図形を有する情報が表記された表示体を取り付けたことを特徴とする床清掃具。
【請求項２】
請求項１記載の床清掃具において、
前記キャンバスの表側の長手方向両側には、前記保持部の長手方向両端部が挿入可能なポケット部が形成されており、
前記保持部の長手方向両端部を上記ポケット部に挿入することによって、前記モップを前記保持部に保持し、
前記保持部において表側に露出した部分に前記表示体を取り付けたことを特徴とする床清掃具。
【請求項３】
請求項２記載の床清掃具において、
前記表示体は、前記ポケット部の上面を覆うことを特徴とする床清掃具。
【請求項４】
請求項１記載の床清掃具において、
前記キャンバスの表側の長手方向両側には、前記保持部の長手方向両端部が挿入可能なポケット部が形成されており、
前記保持部の長手方向両端部を上記ポケット部に挿入することによって、前記モップを前記保持部に保持し、
前記ポケット部に前記表示体の一部を挿入させる形態で前記表示体が取り付けられることを特徴とする床清掃具。
【請求項５】
請求項１から４のいずれか１項記載の床清掃具において、
前記表示体は、前記保持部および前記モップに対して取り換え可能な構成とされていることを特徴とする床清掃具。
【請求項６】
キャンバスと、上記キャンバスの一方の側となる裏側に取り付けられる多数の細長状の形態を有する払拭体と、を備えたモップと、
上記一方の側と反対の側となる表側において上記キャンバスを覆うカバー部と、上記カバー部の裏側に設けられ、上記モップを保持するための保持部と、を備えた床清掃用保持具と、
を備え、
上記保持部は、上記カバー部が上記キャンバスの表側を覆うように上記モップを保持し、
文字および／または図形を有する情報が表記された表示体を、上記カバー部の表面に取り換え可能な形態で取り付けたことを特徴とする床清掃具。
【請求項７】
請求項６記載の床清掃具において、
前記キャンバスの表側の長手方向両側には、前記保持部の長手方向両端部が挿入可能なポケット部が形成されており、
前記保持部の長手方向両端部を上記ポケット部に挿入することによって、前記モップが前記保持部に保持されることを特徴とする床清掃具。
【考案の詳細な説明】
【技術分野】
【０００１】
本考案は、床清掃具に関する。
【背景技術】
【０００２】
従来から、床を清掃するための床清掃具として、手で把持することが可能な床清掃用保持具にモップを装着したものが知られている。一般的に、モップは、多数の払拭体となるパイルがキャンバスの少なくとも裏面に取り付けられることにより構成されている。また、モップは、一般的に、キャンバスの表側において清掃用保持具に保持される。このような構成により、床清掃具の清掃作業者は、床清掃用保持具を手で把持し、パイルを床面に押し当てながら、モップを前後左右に移動させることにより床の清掃を行うことができる。
【０００３】
特許文献１には、床清掃用保持具によってモップを保持した床清掃具が開示されている。この特許文献１に開示されている床清掃具では、モップのバイアスとキャンバスとの間の領域に、製造元等である会社名等を表記した布地片が取り付けられている。
【先行技術文献】
【特許文献】
【０００４】
【特許文献１】特開平１１−２８２９８７号公報（図１１）
【考案の概要】
【考案が解決しようとする課題】
【０００５】
一般的に、床清掃具は、床の清掃に使用された後、モップが床清掃保持具から取り外して洗濯される。特許文献１に開示されている床清掃具では、モップに会社名等の情報を表記した布地片が取り付けられている。このため、モップを洗濯するとパイルによって取り除かれた汚れが布地片に付着したり、洗濯の際に布地片が色あせたりして、布地片に表記されている文字等の情報が鮮明でなくなってしまう。また、布地片はモップのバイアスとキャンバスとの間の領域に縫い付けられているため、布地片の大きさが限定されてしまい、床清掃具において表記させる情報量が制限されてしまう。さらに、布地片に表記されている情報を新たなものに変更する場合、布地片を取り外し、再度、新たな布地片を縫い付けなければならず、表示させる情報を変更するのに手間がかかってしまう。
【０００６】
本考案は、かかる問題に鑑みてなされたものであり、その目的とするところは、スペースに制約されることなく情報を表示できると共に、表示される情報の鮮明さを維持でき、かつ表示された情報を容易に変更できる床清掃具を提供しようとするものである。
【課題を解決するための手段】
【０００７】
上記課題を解決するために、本考案は、キャンバスと、キャンバスの一方の側となる裏側に取り付けられる多数の細長状の形態を有する払拭体と、を備えたモップと、モップを保持するための保持部を備えた床清掃用保持具と、を備え、保持部はモップをキャンバスの他方の側となる表側において保持し、保持部もしくはキャンバスの表側に露出するように、文字および／または図形を有する情報が表記された表示体を取り付けたものである。
【０００８】
また、キャンバスの表側の長手方向両側には、保持部の長手方向両端部が挿入可能なポケット部が形成されており、保持部の長手方向両端部をポケット部に挿入することによって、モップを保持部に保持し、保持部の表側に露出した部分に表示体を取り付けるのが好ましい。
【０００９】
また、表示体は、ポケット部の上面を覆うものとするのが好ましい。
【００１０】
また、キャンバスの表側の長手方向両側には、保持部の長手方向両端部が挿入可能なポケット部が形成されており、保持部の長手方向両端部をポケット部に挿入することによって、モップを保持部に保持し、ポケット部に表示体の一部を挿入させる形態で表示体を取り付けるのが好ましい。
【００１１】
また、表示体は、保持部およびモップに対して取り換え可能な構成とするのが好ましい。
【００１２】
また、本考案は、キャンバスと、キャンバスの一方の側となる裏側に取り付けられる多数の細長状の形態を有する払拭体と、を備えたモップと、一方の側と反対の側となる表側においてキャンバスを覆うカバー部と、カバー部の裏側に設けられ、モップを保持するための保持部と、を備えた床清掃用保持具と、を備え、保持部は、カバー部がキャンバスの表側を覆うようにモップを保持し、文字および／または図形を有する情報が表記された表示体を、カバー部の表面に取り換え可能な形態で取り付けたものである。
【００１３】
また、キャンバスの表側の長手方向両側には、保持部の長手方向両端部が挿入可能なポケット部が形成されており、保持部の長手方向両端部をポケット部に挿入することによって、モップが保持部に保持されるのが好ましい。
【考案の効果】
【００１４】
本考案によると、スペースに制約されることなく情報を表示できると共に、表示される情報の鮮明さを維持でき、かつ表示された情報を容易に変更できる。
【図面の簡単な説明】
【００１５】
【図１】本考案の一実施の形態に係る床清掃具の斜視図である。
【図２】本考案の一実施の形態に係る床清掃具の平面図である。
【図３】図１の床清掃具において、床清掃用保持具からモップを着脱する作業を説明するための斜視図である。
【図４】図１中の床清掃用保持具における保持部および表示部の構成を説明するための斜視図である。
【図５】本考案の変形例を示す図であり、上段は表示体をリング状に構成した場合を示す図であり、下段は表示体をポケット部に挿入可能に構成した場合を示す図である。
【図６】本考案の変形例を示す図であり、上段は表示体をマジックテープ（登録商標）を用いて保持部に対して着脱可能に構成した場合を示す図であり、下段は表示体をマジックテープ（登録商標）を用いてキャンバスに着脱可能に構成した場合を示す図である。
【図７】本考案の変形例を示す図であり、表示体を情報カードとして表示挿入部に挿脱可能に構成した場合を示す図である。
【図８】本考案の変形例を示す図であり、表示体に拡幅部分を設けた場合の床清掃具を示す図である。
【図９】本考案の変形例を示す図であり、図８における表示体を保持部に装着する前の状態を示す図である。
【図１０】本考案の変形例を示す図であり、カバー部を備えた床清掃用保持具に表示体を取り付ける場合を示す図である。
【図１１】本考案の変形例を示す図であり、図１０中の床清掃用保持具を説明するための図である。
【考案を実施するための形態】
【００１６】
以下、本考案の一実施の形態に係る床清掃具１について図面を参照しながら説明する。なお、以下の説明において、図１〜図８に示す矢示Ｘ１方向を「前」、矢示Ｘ２方向を「後（後ろ）」、Ｘ１方向とＸ２方向の両方向に対し水平方向で直交する方向となる矢示Ｙ１方向を「左」、矢示Ｙ２方向を「右」、ＸＹ平面と直交する矢示Ｚ１方向を「表」および矢示Ｚ２方向を「裏」とそれぞれ規定する。
【００１７】
図１は、本考案の一実施の形態に係る床清掃具１の斜視図である。図２は、本考案の一実施の形態に係る床清掃具１の平面図である。図３は、図１の床清掃具１において、床清掃用保持具３からモップ２を着脱する作業を説明するための斜視図である。図４は、図１中の床清掃用保持具３における保持部１３および表示部７の構成を説明するための斜視図である。
【００１８】
図１および図２に示すように、床清掃具１は、床面上に存在する埃等を払拭するためのモップ２と、該モップ２を保持するための床清掃用保持具３とを有している。この床清掃具１では、清掃作業者が床清掃用保持具３の後述する把持部１２を手で把持し、モップ２を床面に押し当てながら前後左右に移動させることにより床の清掃が行われる。
【００１９】
図１および図２に示すように、モップ２は、多数の細長状の形態を有する払拭体となるパイル５と、パイル５が取り付けられるキャンバス６とを有する。また、キャンバス６上における後述の把持部１２を挟んだ左右両側には、文字や図形等による情報が表記された表示体７，７が配置されている。パイル５は、キャンバス６の裏面に、たとえば、ミシン糸を用いて多数取り付けられている。全てのパイル５の長さ、太さおよび腰の強さは同様に形成されている。これらパイル５が床面上の埃等を吸着することにより、床の清掃が可能となる。なお、図１および図２では、パイル５の一部のみを図示するものとする。
【００２０】
キャンバス６は、パイル５が縫い付けられる厚手の布体から形成されており、平面において略小判状の形態を有している。このキャンバス６は、略小判状の一枚の布体となる基板布８と、基板布８の左右両側でありかつ表側に取り付けられる略半小判状の２つの布体となるポケット布１０，１０とを有しており。ポケット布１０，１０は、それぞれの曲線状の外縁部が基板布８の左右の外縁部と略一致するように、基板布８の左右両側に配置されている。ポケット布１０，１０の外縁部は基板布８の左右の外縁部に縫い付けられている。このため、基板布８とポケット布１０，１０との間には、後述する保持部１３を挿入可能とする２つの袋状のポケット部１１，１１が形成される。
【００２１】
床清掃用保持具３は、清掃作業者が手で把持するための棒状の把持部１２（図１参照）と、キャンバス６を保持するために左右一対に設けられる保持部１３，１３と、保持部１３，１３を山折りするための山折り機構１４とを有する。
【００２２】
図１に示すように、把持部１２は、上述したように略円柱の棒状の形態を有しており、その一端は保持部１３，１３に連結されている。具体的には、把持部１２の一端は、保持部１３，１３の中央の山折り機構１４に設けられる回動支持部１５に前後方向に向かって回動自在に連結されている。この回動支持部１５は、山折り機構１４を構成する後述の軸部材１６に、該軸部材１６の周方向に沿って、すなわち左右方向に向かって回動可能に取り付けられている。このため、把持部１２は回動支持部１５を中心として前後方向に回動可能であり、かつ軸部材１６の中心軸線を中心として左右方向に回動可能となっている。
【００２３】
保持部１３，１３は、Ｘ１−Ｘ２方向を中心軸線として略左右対称に一対に設けられている。保持部１３は、金属棒を略Ｕ字状に折り曲げることによって形成されており、右側および左側に配置される各保持部１３のＵ字の開口端部１３ｂ，１３ｃは山折り機構１４に接続されている。
【００２４】
山折り機構１４は、図１等の右側に配置される保持部１３の開口端部１３ｂ，１３ｂに接続される係合部１７，１７と、図１等の左側に配置される保持部１３ｃ，１３ｃに接続される取手部１８，１８と、左右に配置される保持部１３の左右方向略中央にＸ１−Ｘ２方向に沿って配置される軸部材１６と、回動支持部１５を隔てて軸部材１６の前後両側に巻き付けられる圧縮バネ２０，２０と、を有する。
【００２５】
係合部１７は、右側に配置される保持部１３，１３の開口端部１３ｂ，１３ｂに前後に一対に設けられている。係合部１７，１７は略矩形状の形態を有しており、その表側の端部には内側（中央側）に向かって折り曲げられた折曲部１７ａが設けられている。また、係合部１７，１７は、開口端部１３ｂ，１３ｂに溶接により固定されている。取手部１８，１８は、左側に配置される保持部１３の開口端部１３ｃ，１３ｃに前後に一対に設けられている。取手部１８，１８は、表側から見て、一端内側に折り曲がり、さらにその先端が右側に向かって折り曲がった略鉤状を呈している。具体的には、ＹＺ平面と平行な平面上に位置する略矩形状の形態の被係合部１８ａ，１８ａと、被係合部１８ａ，１８ａの右端から内側（中央側）に折れ曲がりＸＺ平面と平行な平面上に位置する中間部１８ｂ，１８ｂと、中間部１８ｂ，１８ｂの内側の端部から右側に向かって折れ曲がりＹＺ平面と平行な平面上に位置する先端部１８ｃ，１８ｃとを有する。取手部１８，１８は、開口端部１３ｃ，１３ｃに溶接により固定されている。また、取手部１８，１８は、被係合部１８ａ，１８ａが係合部１７，１７の前後方向内側に重なるような態様で配置される。このような配置構成により、両保持部１３，１３がＸＹ平面と平行な平面上に位置する状態、すなわち両保持部１３，１３が折り曲げられていない状態では、被係合部１８ａが折曲部１７ａの下側に入り込んで、係合部１７と係合することが可能となる。このように、被係合部１８ａが折曲部１７ａと係合することで、両保持部１３，１３が互いに相対回転して山折りされるのを防止できる。
【００２６】
上述したように、軸部材１６は、左右に配置される保持部１３，１３の左右方向略中央にＸ１−Ｘ２方向に沿って配置されている（図１から４参照）。また、この軸部材１６の前端部および後端部のそれぞれには、係合部１７および取手部１８の双方が回動可能に軸支されている（図１から４参照）。具体的には、軸部材１６の前端部および後端部に係合部１７が回動可能に固定されている。また、軸部材１６は、係合部１７，１７の被係合部１８ａに形成される不図示の孔に、隙間を有した状態で挿通されている。このため、係合部１７，１７および取手部１８，１８は、軸部材１６を中心として相対回転可能となり、その結果、両保持部１３，１３は軸部材１６を中心として相対回転することが可能となる。このため、保持部１３，１３を山折りすることが可能となる（図３参照）。
【００２７】
圧縮バネ２０，２０は、上述したように、軸部材１６の回動支持部１５を隔てた前後両側の外周部に配置されている。すなわち、圧縮バネ２０，２０は、軸部材１６の外周部において、取手部１８の被係合部１８ａと回動支持部１５との間に介在されている。このため、取手部１８，１８は、圧縮バネ２０，２０の付勢力によって前後方向外方に付勢される。この付勢力によって、被係合部１８ａが折曲部１７ａの下側に入り込み、被係合部１８ａと係合部１７とが係合した状態が維持される。このように、圧縮バネ２０，２０の付勢力を利用して被係合部１８ａと係合部１７とを係合状態に維持することにより、両保持部１３，１３が相対回転して山折りされるのを防止できる。具体的には、両保持部１３，１３が相対回転しようとすると、折曲部１７ａに被係合部１８ａの表側の端部が当接することによって、両保持部１３，１３の山折りが阻止される。
【００２８】
一方、被係合部１８ａと係合部１７との係合状態を解除させることにより、保持部１３，１３を山折りすることが可能となる。具体的には、図３に示すように、取手部１８，１８の先端部１８ｃ，１８ｃに前後方向内側（図３中の矢示Ａ方向）に向かう力を加え、取手部１８，１８を圧縮バネ２０，２０の付勢力に抗して前後方向内側に移動させることで、被係合部１８ａと係合部１７との係合状態が解除される。この状態では、被係合部１８ａが折曲部１７ａの先端よりも前後方向内側に位置するため、保持部１３，１３を互いに相対回転させても、折曲部１７ａに被係合部１８ａの表側の端部が当接せず、保持部１３，１３を山折りさせることが可能となる。図３に示すように、山折り機構１４により、保持部１３，１３を山折りさせることで、床清掃用保持具３をモップ２に対して着脱させることが可能となる。具体的には、保持部１３，１３を山折りした状態では、該保持部１３，１３をキャンバス６のポケット部１１に挿脱させることが可能となるため、床清掃用保持具３をモップ２に着脱させることが可能となる。
【００２９】
表示体７，７は、上述したように、キャンバス６上における軸部材１６を挟んだ左右両側に配置されている。具体的には、軸部材１６とポケット部１１との間の領域に配置される。表示体７には、本実施の形態で示すように、たとえば、「体育館用」等の使用場所に関する文字情報を表記することが可能であれる。この場合、表示体７に「体育館用」と表記することによって、該床清掃具１は体育館で使用するためのものであることを認識できる。なお、表示体７には、使用場所に関する情報のみではなく、会社名や商品名等もしくは標語等の他の情報を文字や図形等によって表示することが可能である。
【００３０】
図４に示すように、表示体７は、略矩形状の形態を有しており、長手方向の両端部には裏側かつ内側に折れ曲がった爪部７ａが形成されている。該爪部７ａを保持部１３のＵ字状を形成する２つの脚部１３ａ，１３ａの外側に引っ掛けることによって、表示体７は保持部１３に取り付けられる。具体的には、図４に示すように、表示体７を両保持部１３，１３の左右方向外側から内側に向かって（図４の矢示Ｂ方向に向かって）スライドさせながら爪部７ａ，７ａを脚部１３ａ，１３ａの外側に係合させることによって、表示体７は保持部１３に取り付けられる。図４に示すように、表示体７は、モップ２を床清掃用保持具３に装着させる前に、保持部１３，１３に取り付けられる。また、表示体７を保持部１３，１３から取り外す場合は、取り付ける場合とは逆に、モップ２を床清掃用保持具３から取り外した後に、保持部１３，１３から取り外される。表示体７は、たとえば、剛性を有するプラスチック製の樹脂によって形成することが可能である。しかしながら、表示体７はプラスチック以外の樹脂や金属等の他の材料によって形成するようにしても良い。
【００３１】
表示体７を床清掃用保持具３に取り付ける場合、図４に示すように、保持部１３，１３が折り曲げられていない状態において、表示体７を保持部１３，１３の左右方向外方から取り付けるのが好ましい。両保持部１３，１３が互いに係合し、安定した状態において、表示体７を保持部１３，１３に取り付けることが可能となるからである。しかしながら、保持部１３，１３を山折りにした状態において、表示体７を保持部１３，１３に取り付けるようにしても良い。この場合、床清掃用保持具３にモップ２を取り付けるために、再度、保持部１３，１３を折り曲げられていない状態から山折りする必要がなくなるからである。
【００３２】
以上のように構成された床清掃具１では、表示体７を軸部材１６とポケット部１１との間の領域に取り付けることが可能となる。このため、清掃作業者は、表示体７に表記されている情報を容易に視認することができる。したがって、本実施の形態のように、たとえば、表示体７に「体育館用」と表記されている場合、該床清掃具１は体育館で使用するためのものであることを、清掃作業者は容易に認識することができる。したがって、床清掃具１が体育館以外の他の場所で使用され、当該使用した場所に放置されることを防止することが可能となる。また、表示体７に、会社名や商品名等に関する情報を表記させる場合、床清掃具１を広告として用いることができ、清掃作業者に会社名や商品名等を宣伝することが可能となる。さらに、表示体７に、標語等を表記させる場合、清掃作業者に対して指針や理念に関する情報を伝達することが可能となる。また、床清掃具１を所定の位置に立てかけておけば、たとえば、社員等の清掃作業者以外で該床清掃具１を視認する可能性がある者に対しても、表示体７に表示された内容を伝達することが可能となる。さらに、比較的広いスペースに表示体７を配置できるため、表示体７に表示させる情報量が制限されてしまうことがなくなる。
【００３３】
また、表示体７は、床清掃具１に対して着脱可能な構成とされている。このため、表示体７を付け換えることによって、清掃作業者等に伝達したい内容を容易に変更することが可能となる。その結果、たとえば、１週間や１ヶ月等の所定の期間毎に異なる内容の情報を清掃作業者等に伝達することが可能となる。
【００３４】
また、表示体７は、爪部７ａを保持部１３の脚部１３ａ，１３ａに係脱させるような構成とされている。このため、簡易な作業で表示体７を床清掃具１に対して着脱させることが可能となる。したがって、異なる情報が表記された表示体７を予め複数用意しておけば、任意の時期に、伝達したい情報を床清掃具１に表示させることが可能となる。
【００３５】
なお、爪部７ａは、保持部１３の脚部１３ａ，１３ａの内側に巻き込む形状としてもよい。すなわち、爪部７ａを、脚部１３ａ，１３ａに対して、脚部１３ａ，１３ａの周囲に半円以上に亘って係合することができる形状としてもよい。爪部７ａをこのような形状とすることで、床清掃用保持具３をモップ２に対して着脱させる際に、爪部７ａが脚部１３ａ，１３ａから外れてしまうことを防止できる。上述したように、床清掃用保持具３をモップ２に対して着脱させる際には、取手部１８，１８を前後方向内側に移動させ、被係合部１８ａと係合部１７との係合状態を解除する。この際、取手部１８，１８の前後方向内側への移動に伴って、脚部１３ａ，１３ａは、前後方向内側に撓む。そのため、爪部７ａが脚部１３ａ，１３ａの内側に係合していない場合には、脚部１３ａ，１３ａが前後方向内側に撓んだ際に、爪部７ａと脚部１３ａ，１３ａとの係合が外れる虞がある。これに対し、爪部７ａが脚部１３ａ，１３ａの周囲に半円以上に亘って係合する形状とすることで、脚部１３ａ，１３ａの内側に爪部７ａが係合することができ、脚部１３ａ，１３ａが前後方向内側に撓んだ場合であっても、爪部７ａと脚部１３ａ，１３ａとの係合が外れることを防ぐことができる。
【００３６】
そして、上述のように、脚部１３ａ，１３ａが前後方向内側に撓んだ場合であっても、爪部７ａが脚部１３ａ，１３ａから外れない構成とした場合には、表示体７は、脚部１３ａ，１３ａの前後方向内側への撓みに応じて撓むことができる可撓性を有することが好ましい。表示体７が係る可撓性を有することで、取手部１８，１８の前後方向内側への移動を容易に行ことができる。表示体７としては、たとえば、薄いプラスチック等の樹脂板、あるいは厚手のナイロン布、ゴム板等を用いることができる。
【００３７】
また、表示体７は、軸部材１６とポケット部１１との間の領域に、モップ２とは別体として取り付けられる。このため、モップ２の取り換え時に表示体７を取り外す必要がなくなる。したがって、表示体７をモップ２とともに洗濯する必要がなくなる。このため、従来のように、表示体７に表記されている文字等が洗濯によって鮮明さを失い、表示体７に表示されている情報を取得しづらくなるといった事態を回避することができる。また、本実施の形態では、表示体７は、プラスチック製の樹脂によって形成されているため、表示体７に表示されている文字等が色あせて読みづらくなることを防止できる。また、表示体７は、軸部材１６とポケット部１１との間の領域に取り付けられているため、ポケット部１１に埃等が進入するのを防止できる。
【００３８】
以上、本考案の一実施の形態について説明したが、本考案は上述の形態に限定されることなく、種々変形した形態にて実施可能である。
【００３９】
上述の実施の形態では、表示体７は、爪部７ａを保持部１３の脚部１３ａ，１３ａに係脱させて、該表示体７を床清掃具１に着脱させるような構成とされているが、表示体７は、当該構成に限定されるのもではない。たとえば、図５上段に示すように、左右方向から見て略リング状の形態を有する表示体３０とし、中央に形成される空間部３０ａに保持部１３を挿脱させることで、表示体３０を保持部１３に着脱させる構成としても良い。なお、表示体３０はプラスチック製の樹脂等から形成しても良いし、ゴム等の弾性材から形成するようにしても良い。表示体３０をプラスチック製の樹脂等から形成した場合、表示体３０を床清掃具１に着脱させるためには、文字等が表記された部分を表側に向けて、空間部３０ａに保持部１３をそのまま挿脱させれば良い。一方、表示体３０をゴム等の弾性材から形成した場合、表示体３０は弾性を有するゴムバンドとして機能する。この場合、表示体３０を床清掃具１に着脱させるためには、文字等が表記された部分を表側に位置させて、表示体３０を前後方向に引き伸ばした状態で、保持部１３を空間部３０ａに挿脱させれば良い。
【００４０】
また、表示体７を、たとえば、図５下段に示すような前後方向から見て略Ｕ字状の形態を有する表示体３１としても良い。この場合、表示体３１は、文字等を表示するための表示本体３１ａと、表示本体３１ａの裏側に折れ曲がり表示本体３１ａと同方向に延出する挿入爪３１ｂとを有する。この場合、表示体３１を床清掃具１に装着するためには、モップ２が床清掃用保持具３に取り付けられた状態で、図５下段の矢示Ｃ方向に向かって挿入爪３１ｂをポケット部１１に挿入すれば良い。換言すると、表示本体３１ａと挿入爪３１ｂとでポケット布１０を挟み込んだ状態となる。一方、表示体３１を床清掃具１から取り外す場合、表示体３１を、図５下段の矢示Ｃ方向と逆方向に移動させて、挿入爪３１ｂをポケット部１１から外せば良い。なお、図５下段ではモップ２の右側に着脱される表示体３１のみが図示されているが、モップ２の左側に着脱される表示体３１は、図５下段に示される表示体３１と左右対称構造に形成される。また、表示体３１が床清掃具１に装着された状態では、汚れが付着しやすい布製のポケット布１０の表面は表示本体３１によって覆われることになる。このため、ポケット部１１が汚れるのを防止でき、床清掃具１の外観が悪化するのを防止できる。
【００４１】
また、表示体７を、たとえば、図６上段に示すように、文字等が表記された帯状体３２ａの長手方向の端部にマジックテープ（登録商標）のオス部３２ｂとメス部３２ｃとをそれぞれ設けた表示体３２としても良い。この場合、図６上段に示すように、表示体３２を保持部１３の外側に巻きつけ、マジックテープ（登録商標）のオス部３２ｂとメス部３２ｃを付け合わせることによって、表示体３２を床清掃具１に取り付けることが可能となる。帯状体３２ａの材料として、たとえば、薄手の布材やゴム等の弾性材を採用することができる。
【００４２】
また、表示体７を、たとえば、図６下段に示すように、文字等が表記された略矩形状の形態を有する表示本体３３ａの裏側にマジックテープ（登録商標）のオス部３３ｂもしくはメス部３３ｃを設けた表示体３３としても良い。この場合、表示体３３を床清掃具１に対して着脱可能とするために、キャンバス６の表面に表示本体３３ａに設けられたマジックテープ（登録商標）のオス部３３ｂもしくはメス部３３ｃと対応するようなマジックテープ（登録商標）のメス部もしくはオス部を設けることが必要である。なお、表示本体３３ａの材料として、たとえば、樹脂や金属等の各種材料を採用することができる。また、表示本体３３ａの形状は矩形状に限定されるものではなく、たとえば、ポケット部１１に対応した略半小判状等、他の形状としても良い。
【００４３】
また、上述の実施の形態では、表示体７は着脱可能な構成とされているが、表示体７は、取り外し不能な構成としても良い。この場合、たとえば、表示体７をテープや接着剤等を用いて保持部１３に固定するような構成としても良い。また、表示体７を金属から構成する場合、溶接を用いて表示体７を保持部１３に固定するようにしても良い。床清掃用保持具３をモップ２に対して着脱させる際に、取手部１８，１８を前後方向内側に移動すると脚部１３ａ，１３ａが前後方向内側に撓む。したがって、表示体７を、取り外し不能な構成とした場合には、脚部１３ａ，１３ａの前後方向内側への撓み対応して、表示体７も撓むことができる可撓性を有することが好ましい。表示体７が係る可撓性を有することで、取手部１８，１８の前後方向内側への移動を容易に行うことができる。
【００４４】
また、上述の実施の形態では、表示体７を着脱させる構成とされているが、このような構成に限定されるものではなく、表示体７を、保持部１３の脚部１３ａ，１３ａの間に架け渡された基台部３４ａと基台部３４ａに設けられた袋状の表示挿入部３４ｂとから構成される表示部３４としても良い。この場合、表示挿入部３４ｂの中央には透明な部材で覆われた窓部３４ｃを設け、たとえば、文字等が表示された情報カード３４ｄを図７中の矢示Ｄ方向に向かって、表示挿入部３４ｂの開口部３４ｅから挿入可能な構成とするのが好ましい。このような構成にすることで、情報カード３４ｄの材料として紙等を使用することができ、情報カード３４ｄの作成および交換がいっそう容易となる。
【００４５】
また、表示部７を、例えば、図８および図９に示すように、軸部材１６とポケット部１１との間の領域に加えて、ポケット布１０の上面を覆うことができる拡幅部分３５ａを有する表示体３５としてもよい。この場合、軸部材１６とポケット部１１との間の領域において、爪部７ａが脚部１３ａ，１３ａに係合することで、表示体３５は、保持部１３に取り付けられる。表示体３５は、軸部材１６からポケット布１０の上面に亘る広い表示面を有する。このため、より多くの情報を表示体３５に表示することができる。また、表示体３５は、拡幅部分３５ａが、ポケット布１０の上面を覆うため、ポケット布１０への汚れの付着を防止したり、ポケット布１０へ付着した汚れを目立たないように隠すことができる。一般に、ポケット布１０は布地が厚く、付着した汚れが落ち難い。そのため、拡幅部分３５ａによりポケット布１０への汚れの付着を防止することで、モップ２の洗濯に要する労力を軽減することができる。また、表示体３５は、ポケット部１１の開口部を覆うため、ポケット部１１内にゴミや異物が侵入することを防止することができる。
【００４６】
なお、ポケット布１０の上面を覆う拡幅部分３５ａについては、この拡幅部分３５ａの裏側とポケット布１０の上面とに互いに着脱できるマジックテープ（登録商標）を備え、拡幅部分３５ａをポケット布１０に固定することが好ましい。拡幅部分３５ａをポケット布１０に固定することで、床清掃用保持具３の使用時に拡幅部分３５ａが撚れたり跳ね上がったりすることを防止でき、ポケット布１０への汚れの付着やポケット１１内へのごみ等の侵入をより確実に防ぐことができる。
【００４７】
また、上述の実施の形態では、表示体７は左右両側の保持部１３，１３に取り付けられているが、いずれか一方の保持部１３のみに表示体７を取り付けるようにしても良い。
【００４８】
また、上述の実施の形態では、表示体７は保持部１３，１３および／またはキャンバス６の表側に取り付けられる構成とされている。すなわち、表示体７は、保持部１３，１３に取り付けられたり、あるいは、キャンバス６の表側に取り付けられたり、または、保持部１３，１３とキャンバス６の表面の両方に取り付けられる構成とされている。しかしながら、表示体７を、たとえば、図１０に示すように、モップ２のキャンバス６（図示省略）を覆うカバー部４３を備えた床清掃具４０に取り付けられる表示体４４としても良い。この場合、表示体４４は、カバー部４３の表面に着脱（取り換え）可能に取り付けられる。たとえば、表示体４４を、カバー部４３に対してマジックテープ（登録商標）４５を用いて着脱可能に構成することが可能である。この場合、たとえば、表示体４４の裏側の四隅にマジックテープ（登録商標）４５のオス部もしくはメス部を設け、カバー部４３の表面に上述のオス部もしくはメス部と対応するマジックテープのメス部もしくはオス部を設けるのが好ましい。また、表示体４４の取り付け方法は、マジックテープ（登録商標）４５を用いる場合に限定されるものではなく、たとえば、図７に示すような、袋状の表示挿入部３４ｂをカバー部４３の表側に設け、該表示挿入部３４ｂに文字等が表示された情報カード３４ｄを挿入可能な構成としても良い。
【００４９】
ここで、床清掃具４０においてモップ２を保持する床清掃用保持具４１は、図１０および図１１に示すように、モップ２を保持するための保持部４６（図１１参照）と、清掃作業者が手で床清掃具４０を把持するための把持部４７と、上述したカバー部４３とを有する。カバー部４３は、キャンバス６と略同一の略小判形状を有しており、モップ２を床清掃用保持具４１に装着した状態では、キャンバス６の表側を覆った状態となる。カバー部４３の略中央には略上方に向かって突出する回動支持部４８が設けられている。そして、把持部４７の一端が、回動支持部４８に左右方向に向かって回動自在に連結されている。このため、把持部４７は回動支持部４８を中心として左右方向に回動可能となっている。また、回動支持部４８の左方には、保持部４６を山折り可能な状態にするための解除釦５０が設けられている。
【００５０】
図１１に示すように、カバー部４３の裏側における略中央には裏方向に向かって略直方体の形状で突出するボックス部５１が設けられている。ボックス部５１における左右両側面には左右方向外方に向かって突出する係合部５２が設けられている。この係合部５２は前後方向に並ぶように２つずつ、すなわち、ボックス部５１の左右両側において合計４つ設けられており、上述した解除釦５０を押すと、ボックス部５１の左右方向内方に引っ込むように構成されている。保持部４６，４６は略半小判形状を呈しており、カバー部４３の裏側に左右一対に設けられている。この保持部４６，４６は、前後両側に長手状のアーム部４６ａ，４６ａを有している。このアーム部４６ａの先端は、ボックス部５１の前後方向外側において回動可能に軸支される。このため、保持部４６，４６を、回動支点を中心に図１１中の矢示Ｅ１方向となる裏側に向かって回動させることにより、保持部４６，４６を山折りすることが可能となる。また、保持部４６における両側のアーム部４６ａ，４６ａの間には、曲面４６ｃを有する形態でアーム部４６ａの略延出方向に向かって突出する被係合凸部４６ｂが設けられている。この被係合凸部４６ｂは、保持部４６，４６が開いた状態において係合部５２と係合するように構成されている。具体的には、保持部４６を図１１の矢示Ｅ２方向に回動させると、被係合凸部４６ｂの曲面部４６ｃが係合部５２の曲面部５２ａと摺接し、該係合部５２がボックス部５１の内部へ一旦、押し込まれる。そして、保持部１３が完全に開いた状態となると、係合部５２が当該押圧から解放されて元の位置まで突出し、被係合凸部４６ｂと係合部５２とが係合した状態となる。モップ２を床清掃用保持具４１に装着する場合は、保持部４６，４６を山折りにした状態で、モップ２のポケット部１１に保持部４６，４６を挿入させた後、保持部４６，４６を図１１の矢示Ｅ２方向に回動させる。すると、被係合凸部４６ｂと係合部５２とが係合し、図１０に示すように、カバー部４３がキャンバス６の表面を覆った状態となる。一方、モップ２を床清掃用保持具４１から取り外す場合は、解除釦５０を押し、被係合凸部４６ｂと係合部５２との係合を解除する。そして、保持部４６，４６を山下りさせ、その状態でモップ２のポケット部１１から保持部４６，４６を抜き取る。このように床清掃具４０を構成することで、キャンバス６の表側の長手方向両側に、保持部４６，４６の長手方向両端部が挿入可能なポケット部１１が形成されているモップ２に対して、モップ２のキャンバス６を覆うカバー部４３に表示体４４が取り付けられている床清掃用保持具４１を簡単に着脱できる。
【符号の説明】
【００５１】
１，４０…床清掃具
２…モップ
３，４１…床清掃用保持具
５…パイル（払拭体）
６…キャンバス
７，３０，３１，３２，３３，３４，３５，４４…表示体
１１…ポケット部
１３，４６…保持部
４３…カバー部
【図１】
0003151920.tif 000003
【図２】
0003151920.tif 000004
【図３】
0003151920.tif 000005
【図４】
0003151920.tif 000006
【図５】
0003151920.tif 000007
【図６】
0003151920.tif 000008
【図７】
0003151920.tif 000009
【図８】
0003151920.tif 000010
【図９】
0003151920.tif 000011
【図１０】
0003151920.tif 000012
【図１１】
0003151920.tif 000013